(57)【特許請求の範囲】
【請求項１】
スーパービデオ入力信号をそれ自体でスーパーインポーズする該スーパービデオ入力信号にはエッジを発生させ、スーパーキー入力信号でスーパーインポーズするスーパービデオ入力信号にはエッジを発生させないことを特徴とするスーパー信号合成装置。
【請求項２】
スーパービデオ入力信号をスーパーキー入力信号でスーパーインポーズするときは前記スーパービデオ入力信号をゲートする前記スーパービデオ入力信号と１対１対応のＡゲート回路と、
前記スーパービデオ入力信号をそれ自体でスーパーインポーズするときは該スーパービデオ入力信号をゲートする前記スーパービデオ入力信号と１対１対応のＢゲート回路と、
前記スーパービデオ入力信号をそれ自体でスーパーインポーズするときは前記スーパーキー入力信号をゲートする前記スーパーキー入力信号と１対１対応のＣゲート回路とを設け、
前記Ａゲート回路を通過したスーパービデオ入力信号からはエッジキー信号を生成するが、前記Ｃゲート回路を通過したスーパーキー入力信号に対応して前記Ｂゲート回路を通過したスーパービデオ入力信号からはエッジキー信号を生成しないようにしたことを特徴とするスーパー信号合成装置。
【請求項３】
スーパービデオ入力信号をそれ自体またはスーパーキー入力信号でスーパーインポーズしたスーパービデオ信号と映像入力信号とを合成するスーパー信号合成装置において、
前記スーパービデオ入力信号を前記スーパーキー入力信号でスーパーインポーズするときは前記スーパービデオ入力信号をゲートする前記スーパービデオ入力信号と１対１対応のＡゲート回路と、
前記Ａゲート回路の出力を非加算合成する第一非加算混合回路と、
前記スーパービデオ入力信号をそれ自体でスーパーインポーズするときは前記スーパーキー入力信号をゲートする前記スーパーキー入力信号と１対１対応のＣゲート回路と、
前記Ｃゲート回路の出力を非加算合成しそのときに選択されたＣゲート回路の出力に対応する切替信号を出力する第二非加算混合回路と、
前記スーパービデオ入力信号をそれ自体でスーパーインポーズするときは該スーパービデオ入力信号をゲートする前記スーパービデオ入力信号と１対１対応のＢゲート回路と、
前記Ｂゲート回路の出力を前記切替信号により切り替える切替回路と、
前記第一非加算混合回路の出力からエッジキー信号を生成するエッジキー発生回路と、
前記第一非加算混合回路の出力と前記エッジキー信号を加算する加算回路と、前記エッジキー信号により前記第一非加算混合回路の出力に対しエッジカラーを挿入するエッジカラー挿入回路と、
前記エッジカラー挿入回路の出力と前記切替回路の出力とを非加算合成しスーパービデオ信号を生成する第三非加算混合回路と、
前記加算回路の出力と前記第二非加算混合回路の出力とを非加算合成しスーパーキー信号を生成する第四非加算混合回路と、
前記スーパーキー信号により映像入力信号と前記スーパービデオ信号を合成する映像合成回路とを有することを特徴とするスーパー信号合成装置。
【発明の詳細な説明】
【０００１】
【発明の属する技術分野】
本発明は、テレビジョン画像処理を行う装置において複数の信号をスーパーインポーズするスーパー信号合成装置に関する。
【０００２】
【従来の技術】
図５は、従来のこの種のスーパー信号合成装置例を示すブロック図である。スーパー信号合成装置は、映像入力信号とスーパービデオ信号とをスーパーキー信号により合成して映像出力信号とするものである。スーパービデオ信号とは映像入力信号と合成されるビデオ信号をいい、スーパーキー信号とは、映像入力信号とスーパービデオ信号とを合成するときの制御信号をいう。
【０００３】
図５を参照すると、このスーパー信号合成装置は、スーパービデオ入力信号の非加算合成を行うｎ個の第一非加算混合器２１と、スーパービデオ入力信号をそれ自体でスーパーインポーズするときはスーパービデオ入力信号を選択し、スーパービデオ入力信号をスーパーキー入力信号でスーパーインポーズするときはスーパーキー入力信号を選択するｎ個の切替回路２２と、切替回路２２出力を非加算合成するｎ個の第二非加算混合回路２３と、第二非加算混合回路２３出力からエッジキー信号を生成するエッジキー発生回路２４と、第二非加算混合回路出力２３とエッジキー信号を加算しスーパーキー信号を生成する加算回路２５と、エッジキー信号により第一非加算混合回路出力２１に対してエッジカラーを挿入しスーパービデオ信号を生成するエッジカラー挿入回路２６と、スーパーキー信号により映像入力信号とスーパービデオ信号を合成する映像合成回路２７を有する。
【０００４】
ここに、スーパービデオ入力信号とはスーパービデオ信号の素とするため外部から供給されるビデオ信号、スーパーキー入力信号とはスーパーキー信号の素とするためスーパービデオ入力信号と１対１対応で外部から供給されるキー信号、エッジキー信号とはスーパービデオ入力信号に対する縁取りを示す信号、エッジカラーとはエッジキー信号に対する着色を指定する信号をいう。スーパーキー信号およびスーパーキー信号は、それぞれスーパービデオ入力信号とスーパーキー入力信号とから生成される。
【０００５】
【発明が解決しようとする課題】
上述した従来技術では、スーパービデオ入力信号とスーパーキー入力信号を切り替えて非加算混合しエッジキー信号を生成しているため、スーパーキー入力信号をそれ自体でスーパーインポーズするときもエッジが発生する。エッジはスーパービデオ信号を強調させるためのものであって、スーパービデオ入力信号でスーパーインポーズするときに発生させる必要があるが、スーパーキー入力信号でスーパーインポーズするときのスーパービデオ入力信号は既に外部のスーパーキー信号発生器でエッジ処理済みのであるためスーパー信号合成装置ではエッジの発生は不要である。したがって、スーパーキー入力信号でスーパーインポーズするときもエッジが発生させると、二重にエッジが発生するので、スーパーインポーズの担当者が意図したとおりのスーパービデオ信号が得られなくなるという問題がある。
【０００６】
本発明の主な目的は、複数の信号をスーパーインポーズするときに、スーパーキー入力信号でスーパーインポーズするスーパービデオ入力信号に対してはエッジを発生させないようにしたスーパー信号合成装置を提供することにある。
【０００７】
【課題を解決するための手段】
本発明によるスーパー信号合成装置は、スーパービデオ入力信号をそれ自体でスーパーインポーズする該スーパービデオ入力信号にはエッジを発生させ、スーパーキー入力信号でスーパーインポーズするスーパービデオ入力信号にはエッジを発生させないことを特徴とするものである。
【０００８】
より詳しくは、本発明によるスーパー信号合成装置は、スーパービデオ入力信号をスーパーキー入力信号でスーパーインポーズするときはスーパービデオ入力信号をゲートするスーパービデオ入力信号と１対１対応のＡゲート回路（図１の1-1〜1-n）と、スーパービデオ入力信号をそれ自体でスーパーインポーズするときは該スーパービデオ入力信号をゲートするスーパービデオ入力信号と１対１対応のＢゲート回路（図１の3-1〜3-n）と、スーパービデオ入力信号をそれ自体でスーパーインポーズするときはスーパーキー入力信号をゲートするスーパーキー入力信号と１対１対応のＣゲート回路（図１の5-1〜5-n）とを設け、Ａゲート回路を通過したスーパービデオ入力信号からはエッジキー信号を生成するが、Ｃゲート回路を通過したスーパーキー入力信号に対応してＢゲート回路を通過したスーパービデオ入力信号からはエッジキー信号を生成しないようにしたことを特徴とする。
【０００９】
このように、スーパーキー入力信号でスーパーインポーズするスーパービデオ入力信号に対してはエッジを発生させない構成としたため、担当者が意図したとおりにスーパー信号が合成された映像出力信号を得ることができる。これは、スーパーキー入力信号でスーパーインポーズするときのスーパービデオ入力信号は既に外部のスーパーキー信号発生器でエッジ処理済みのであるため、スーパー信号合成装置ではエッジの発生は不要であるところ、スーパーキー入力信号でスーパーインポーズするときもエッジが発生させると、二重にエッジが発生するので、スーパーインポーズの担当者が意図したとおりのスーパービデオ信号が得られなくなるという従来技術の問題点を解消したことによる。
【００１０】
【発明の実施の形態】
以下、本発明の上記目的，特徴および利点を明確にすべく、添付した図面を参照しながら本発明の実施の形態につき詳細に説明する。
【００１１】
図１を参照すると、本発明の実施形態としてスーパー信号合成装置の一実施例が示されている。このスーパー信号合成装置は、外部から供給される映像入力信号eiとスーパービデオ信号v0とをスーパーキー信号k0により合成して映像出力信号とする。スーパービデオ信号v0は外部から供給されるスーパービデオ入力信号v1〜vnとスーパーキー入力信号k1〜knとから生成され、スーパーキー信号k0も外部から供給されるスーパービデオ入力信号v1〜vnとスーパーキー入力信号k1〜knとから生成される。スーパービデオ信号v0はエッジが付加されているが、エッジはスーパービデオ入力信号v1〜vnをスーパービデオ入力信号v1〜vn自体でスーパーインポーズするときにのみ発生させ、スーパービデオ入力信号v1〜vnをスーパーキー入力信号k1〜knでスーパーインポーズするときにはエッジを発生させないでスーパービデオ入力信号v1〜vnをそのままスーパービデオ信号v0とするように制御する。
【００１２】
スーパー信号合成装置は、ｎ個のＡゲート回路1-1〜1-n，第一非加算混合回路２，ｎ個のＢゲート回路3-1〜3-n，切替回路４，ｎ個のＣゲート回路5-1〜5-n，第ニ非加算混合回路６，エッジキー発生回路７，加算回路８，エッジカラー挿入回路９，第三非加算混合回路１０，第四非加算混合回路１１および映像合成回路１２で構成されている。
【００１３】
Ａゲート回路1-1〜1-n，Ｂゲート回路3-1〜3-nおよびＣゲート回路5-1〜5-nには、外部から制御信号c1〜cnが共通に供給されている。制御信号c1〜cnは、スーパービデオ入力信号v1〜vnと１対１に対応し、スーパービデオ入力信号v1〜vnをスーパービデオ入力信号v1〜vn自体でスーパーインポーズするか、スーパービデオ入力信号v1〜vnをスーパーキー入力信号k1〜knでスーパーインポーズするかの別を示す。ここでは、前者の場合には制御信号c1〜cnは“０”、後者の場合には制御信号c1〜cnは“１”であるとする。
【００１４】
Ａゲート回路1-1〜1-nはｎ個のスーパービデオ入力信号v1〜vnと１対１対応に設けられ、制御信号c1〜cnが“０”の場合にはスーパービデオ入力信号v1〜vnを通過させ、制御信号c1〜cnが“１”の場合にはスーパービデオ入力信号v1〜vnの通過を阻止（ゲートという）する。第一非加算混合回路２は、Ａゲート回路1-1〜1-nの各出力を非加算合成してエッジキー発生回路７，加算回路８およびエッジカラー挿入回路９に出力する。非加算合成とは各出力の出力を比較して高出力のものを選択することをいう。
【００１５】
Ｃゲート回路5-1〜5-nはｎ個のスーパーキー入力信号k1〜knと１対１対応に設けられ、制御信号c1〜cnが“０”の場合にはスーパーキー入力信号k1〜knをゲートし、制御信号c1〜cnが“１”の場合にはスーパーキー入力信号k1を通過させる。第二非加算混合回路６は、Ｃゲート回路5-1〜5-nの各出力の内から高レベルのものを選択して第四非加算混合回路１１に出力し、また切替信号swを切替回路に出力する。切替信号swは第二非加算混合回路６によって選択されたＣゲート回路5-1〜5-nのいずれかに対応した信号である。
【００１６】
Ｂゲート回路3-1〜3-nはｎ個のスーパービデオ入力信号v1〜vnと１対１対応に設けられ、制御信号c1〜cnが“０”の場合にはスーパービデオ入力信号v1〜vnをゲートし、制御信号c1〜cnが“１”の場合にはスーパービデオ入力信号v1〜vnを通過させる。切替回路４は、Ｂゲート回路3-1〜3-nの各出力を第二非加算混合回路出力60からの切替信号swで切り替えて第二非加算混合回路１０に出力する。すなわち、切替回路４は、第二非加算混合回路１０で選択されたＣゲート回路5-1〜5-nの出力（スーパーキー入力信号k1〜knの内のいずれかである）に対応するスーパービデオ入力信号v1〜vnの内のいずれかを第三非加算混合回路１０に出力することになる。
【００１７】
エッジキー発生回路７は、第一非加算混合回路出力20からエッジキー信号ekを生成して加算回路８およびエッジカラー挿入回路９に出力する。加算回路８は第一非加算混合回路出力20とエッジキー信号ekを加算する。エッジカラー挿入回路９は、エッジキー信号ekにより第一非加算混合回路出力20に対してエッジカラーを挿入する。
【００１８】
第三非加算混合回路１０はエッジカラー挿入回路出力90と切替回路出力40とを非加算合成しスーパービデオ信号v0を生成する。第四非加算混合回路１１は、加算器出力80と第二非加算混合回路出力60とを非加算合成しスーパーキー信号k0を生成する。映像合成回路１２は、スーパーキー信号k0により映像入力信号eiとスーパービデオ信号v0を合成し映像出力信号eoを生成する。
【００１９】
以下、本実施例の動作について図２，図３および図４を用いて説明する。
【００２０】
図２，図３および図４では、説明を単純化するために、２つのスーパービデオ入力信号v1,v2と２つのスーパーキー入力信号k1，k2が供給される場合を想定し、かつ、これらの信号も図２に示すように、太いＴ字様とＬ字様の単純な図形としている。図２は動作の前段に関わる信号群を示す。スーパービデオ入力信号v1にはエッジが施されておらず、スーパービデオ入力信号v1対応のスーパーキー入力信号k1は空白である。一方、スーパービデオ入力信号v2には既にエッジが施されており、スーパービデオ入力信号v2対応のスーパーキー入力信号k2として、スーパービデオ入力信号v2の太いＬ字様図形からエッジを消した形であって外周が同一の図形が示されている。このときの制御信号c1は“０”、制御信号c1は“１”である。
【００２１】
Ａゲート回路1-1は、制御信号c1が“０”であるためスーパービデオ入力信号v1をそのまま出力し、Ａゲート回路1-2は、制御信号c2が“１”であるためスーパービデオ入力信号v2をゲートする。Ａゲート回路1-1の出力は図２に示すように太いＴ字様、Ａゲート回路1-2の出力は空白となる。第一非加算混合回路２は、Ａゲート回路1-1の出力とＡゲート回路1-2の出力を比較しレベルの高い方を選択して出力するので、第一非加算混合回路出力20は太いＴ字様の図形、すなわち。スーパービデオ入力信号v1そのままの図形となる。なお、図２，図３および図４において、点線は一水平走査線を示しており、図２におけるＡゲート回路1-1の出力のパルス表示は、点線の水平走査線時の出力レベルを表している。
【００２２】
Ｃゲート回路5-1は、制御信号c1が“０”であるためスーパーキー入力信号k1をゲートし、Ｃゲート回路5-2は、制御信号c2が“１”であるためスーパーキー入力信号k2をそのまま出力する。Ｃゲート回路出力5-1は空白、Ｃゲート回路出力5-2は太いＬ字様図形からエッジを消した形であって外周が同一の図形となる。第二非加算混合回路６は、Ｃゲート回路5-1と5-2の各出力を比較しレベルの高い方を選択して出力するので、第二非加算混合回路出力60は太いＬ字様図形からエッジを消した形の図形となる。また、第二非加算混合回路６は、そのときのＣゲート回路5-2の出力を選択し切替信号swとする。
【００２３】
Ｂゲート回路3-1は、制御信号c1が“０”であるためスーパービデオ入力信号v1をゲートし、Ｂゲート回路3-2は、制御信号c2が“１”であるためスーパービデオ入力信号v2をそのまま出力する。Ｂゲート回路3-1の出力は図２に示すように空白、Ｂゲート回路3-2の出力はエッジが施された太いＬ字様図形となる。切替回路４は、第二非加算混合回路６から入力してくる切替信号swにより、Ｃゲート回路出力5-2に対応するＢゲート回路3-2の出力、すなわちエッジが施された太いＬ字様図形を出力する。
【００２４】
エッジキー発生回路７は、図３に示すように、入力された第一非加算混合回路出力20に対して縁どった（中抜き）のエッジキー信号ekを出力する。図２は動作の中段に関わる信号群を示す。加算回路８は、第一非加算混合回路出力20とエッジキー信号ekを加算し加算回路出力80を出力する。加算回路出力80は、第一非加算混合回路出力20をエッジキー信号ekの外周にまで拡張した形状の図形となる。エッジカラー挿入回路９は、第一非加算混合回路出力20に対してエッジキー信号ekで指定される部分にエッジカラーを挿入しエッジカラー挿入回路出力90を出力する。エッジカラー挿入回路出力90はエッジキー信号ekと外周は同一であるが、エッジキー信号ekが中空の信号であるのに対して、ソリッドな信号となる。
【００２５】
第三非加算混合回路１０は、エッジカラー挿入回路出力90と切替回路出力40とを比較し、レベルの高い方を選択しスーパービデオ信号v0を生成する。スーパービデオ信号v0は、結局のところ、スーパービデオ信号v1に対してスーパービデオ信号v1自体で縁取りした形状の図形と、スーパービデオ信号v2そのままの図形との非加算混合された図形となっている。
【００２６】
第四非加算混合回路１１は、第二非加算混合回路出力60と加算回路出力80とを比較し、レベルの高い方を選択しスーパーキー信号k0を生成する。スーパーキー信号k0は、結局のところ、スーパービデオ信号v1に対してスーパービデオ信号v1自体で生成したエッジキー信号の外周にまで拡張した形状の図形と、スーパーキー信号k2そのままの図形との非加算混合された図形となっている。
【００２７】
映像合成回路１２は、スーパーキー信号k0により映像入力信号eiとスーパービデオ信号v0を合成し、図４に示すように映像出力信号eoを生成する。図４において、映像入力信号eiが三角形である場合、これとスーパービデオ信号v0をスーパーキー信号k0により合成した映像出力信号eoは、三角形の上にスーパービデオ信号v0を重ねた図形となる。映像合成回路１２は、スーパーキー信号k0の図形で示される領域ではスーパービデオ信号v0、その他の領域では映像入力信号eiを選択して映像出力信号eoとするからである。
【００２８】
【発明の効果】
以上説明したように、本発明のスーパー信号合成装置では、複数のスーパー信号をスーパーインポーズするときに、それ自体でスーパーインポーズするスーパービデオ入力信号にはエッジを発生させ、スーパーキー入力信号でスーパーインポーズするスーパービデオ入力信号に対してはエッジを発生させない構成としたため、担当者が意図したとおりにスーパー信号が合成された映像出力信号を得ることができるという効果がある。
【００２９】
なお、本発明が上記各実施例に限定されず、本発明の技術思想の範囲内において、上述の実施例は適宜変更され得ることは明らかである。
【図面の簡単な説明】
【図１】本発明の一実施例のブロック図
【図２】図１に示した実施例の動作前段を説明するための図
【図３】図１に示した実施例の動作中段を説明するための図
【図４】図１に示した実施例の動作後段を説明するための図
【図５】従来のスーパー信号合成装置を例示するブロック図
【符号の説明】
１        Ａゲート回路
２        第一非加算混合回路
３        Ｂゲート回路
４        切替回路
５        Ｃゲート回路
６        第二非加算混合回路
７        エッジキー発生回路
８        加算回路
９        エッジカラー挿入回路
１０      第三非加算混合回路
１１    第四非加算混合回路
１２      映像合成回路
【図１】
0003926132.tif 000002
【図２】
0003926132.tif 000003
【図３】
0003926132.tif 000004
【図４】
0003926132.tif 000005
【図５】
0003926132.tif 000006